【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
対象物の表面を清掃するための清掃用ビークルであって、
第１および第２のキャリッジと、
前記対象物の上面に沿った配置のために、前記第１および第２のキャリッジそれぞれに結合された第１および第２のホイールと、
駆動アセンブリを形成するために前記第１および第２のホイールの少なくとも一つに動作可能に結合された少なくとも一つのモーターと、
前記第１および第２のキャリッジ間に延在すると共に前記第１および第２のキャリッジによって支持された清掃用要素と、
第３および第４のホイールと、
前記第１のキャリッジに結合された第１の調整可能なカップルおよび前記第２のキャリッジに結合された第２の調整可能なカップルであって、前記第１の調整可能なカップルは、前記第１のキャリッジと前記第３のホイールとの間の第１の間隔を画定し、かつ、前記第２の調整可能なカップルは、前記第２のキャリッジと前記第４のホイールとの間の第２の間隔を画定し、前記第１および第２の間隔は、清掃される前記表面上で前記ビークルを位置決めするために前記対象物の少なくとも一部を受け入れるサイズとされている、第１の調整可能なカップルおよび第２の調整可能なカップルと、
を具備し、
前記清掃用要素は、前記第１および第２のホイールの中心を通る軸線の一方側に配置され、かつ、そこから第１の距離だけ離間させられており、
前記第３および第４のホイールは、前記軸線の反対側に配置され、かつ、そこから第２の距離だけ離間させられている、清掃用ビークル。
【請求項２】
前記対象物がソーラーパネルを含み、かつ、前記表面がその上面を含み、かつ、前記第１および第２のホイールならびに前記清掃用要素は清掃される前記表面に接触する、請求項１に記載の清掃用ビークル。
【請求項３】
前記ソーラーパネルは、底面と、前記上面と前記底面との間に延びる一対の対向する側面をさらに含む、請求項２に記載の清掃用ビークル。
【請求項４】
前記第３のトラベラーホイールが一方の側面および前記底面の両方に着座し、かつ、前記第４のホイールが他方の側面および前記底面の両方に着座する、請求項３に記載の清掃用ビークル。
【請求項５】
前記第３および第４のホイールのそれぞれは、凹形状およびＶ字形状の一方を有する、請求項１に記載の清掃用ビークル。
【請求項６】
前記第１および第２のキャリッジ間に延びかつ前記第１および第２のホイールに結合されたアクスルをさらに備え、前記モーターは、前記第１および第２のホイールを第１の方向に回転させるように前記アクスルを回転させるよう構成される、請求項１に記載の清掃用ビークル。
【請求項７】
前記モーターは前記第１および第２のキャリッジの一方に取り付けられる、請求項６に記載の清掃用ビークル。
【請求項８】
前記第１および第２の調整可能なカップルは、前記第１および第２のキャリッジと、前記第３および第４のホイールとの間の前記第１および第２の間隔をそれぞれ変更することによって、前記清掃用要素を前記アクスルの周りで回転させるように構成される、請求項１に記載の清掃用ビークル。
【請求項９】
前記清掃用要素は前記アクスルならびに前記第１および第２のホイールに関して前記ビークルの前側に対して片持ち支持され、前記ビークルをフロントヘビーにする、請求項６に記載の清掃用ビークル。
【請求項１０】
前記清掃用要素が、剛毛を有するブラシを含む、請求項１に記載の清掃用ビークル。
【請求項１１】
前記清掃用要素は前記アクスルに動作可能に結合され、前記アクスルの回転が前記清掃用要素の回転に変換される、請求項６に記載の清掃用ビークル。
【請求項１２】
前記清掃用要素と前記アクスルとの間の前記動作可能な結合は、前記少なくとも一つのモーターからの動力が前記第１および第２のホイールならびに前記清掃用要素の両方を回転させるように、前記アクスルを前記清掃用要素に結合する伝達システムによって達成される、請求項６に記載の清掃用ビークル。
【請求項１３】
前記伝達システムは、前記アクスルに接続されたギアと、前記アクスルの回転が前記ギアの回転に変換され、これがベルト駆動システムを回転させ、前記清掃用要素の回転を生じるように、前記清掃用要素を前記ギアに結合する前記ベルト駆動システムと、を含む、請求項６に記載の清掃用ビークル。
【請求項１４】
前記第１および第２のホイールは第１の方向に回転し、前記清掃用要素は、反対の第２の方向に回転する、請求項１に記載の清掃用ビークル。
【請求項１５】
前記ビークルが前進方向に駆動されるとき、前記ビークルを加速させるために必要なトルクは前記清掃用要素を回転させるために必要なトルクよりも小さく、したがって前記ビークルが前進するとき、前記ビークルは前方にダイブして前記清掃用要素を清掃される前記表面に対して押し付け、逆に、前記ビークルが後方向に移動させられるときには、逆向きのトルク方向により、前記清掃用要素が清掃される前記表面から離れるように持ち上げられる、請求項１に記載の清掃用ビークル。
【請求項１６】
対象物の表面を清掃するための清掃用ビークルであって、
第１および第２のキャリッジと、
前記対象物の上面に沿った配置のために前記第１および第２のキャリッジそれぞれに結合される第１および第２のホイールと、
駆動アセンブリを形成するために前記第１および第２のホイールの少なくとも一つに動作可能に結合された少なくとも一つのモーターと、
前記第１および第２のキャリッジ間に延在しかつ前記第１および第２のキャリッジによって支持された清掃用要素と、
前記対象物の一方の側面に接触すると共にそれに沿って動くために前記第１および第２のキャリッジの一方に結合されたサイドローラーの形態の第３のホイールと、
前記対象物の底面に接触すると共にそれに沿って動くために前記第１および第２のキャリッジの一方に結合されたボトムローラーの形態の第４のホイールと
を具備し、
前記清掃用要素は、前記第１および第２のホイールを通過しかつそこから第１の距離だけ離間させられた横向き軸線の一方の側に配置され、
前記第４のホイールは、前記横向き軸線の反対側に配置されかつそこから第２の距離だけ離間させられている、清掃用ビークル。
【請求項１７】
前記横向き軸線は、前記第１および第２のホイールの回転軸線と平行である、請求項１６に記載の清掃用ビークル。
【請求項１８】
単一の第１のモーターが前記第１および第２のホイールの一方に動作可能に結合され、前記第１および第２のホイールの他方が非被駆動ホイールであり、前記清掃用要素がその制御された回転のために異なる第２のモーターに動作可能に結合される、請求項１６に記載の清掃用ビークル。
【請求項１９】
前記第１および第２のモーターは、前記第１および第２のキャリッジの一つの外面に沿って取り付けられる、請求項１８に記載の清掃用ビークル。
【請求項２０】
前記第１および第２のキャリッジのそれぞれは、その後端に、下方に延びるアームを含み、前記第４のホイールは、それぞれ下方に延びる一つのアームに取り付けられる、請求項１６に記載の清掃用ビークル。
【請求項２１】
前記下方に延びるアームのそれぞれは、前記第４のホイールを受け入れる複数の離間させられた穴を含む、請求項２０に記載の清掃用ビークル。
【請求項２２】
前記第１および第２のキャリッジに、その第１および第２の端部において取り付けられたクロスサポート部材をさらに含む、請求項１６に記載の清掃用ビークル。
【請求項２３】
前記対象物の別の側面に接触すると共にそれに沿って動くために前記第１および第２のキャリッジの他方に結合されたサイドローラーの形態の第５のホイールと、
前記対象物の底面に接触すると共にそれに沿って動くために前記第１および第２のキャリッジの他方に結合されたボトムローラーの形態の第６のホイールと
をさらに含む、請求項１６に記載の清掃用ビークル。
【請求項２４】
前記クロスサポート部材に取り付けられかつ前記パネルの前記上面に沿って動くよう構成された第７のホイールをさらに含む、請求項２３に記載の清掃用ビークル。
【請求項２５】
前記対象物の一方の側面に接触すると共にそれに沿って動くために前記第１および第２のキャリッジの一方に結合されたサイドローラーの形態の第７のホイールと、
前記対象物の他方の側面に接触すると共にそれに沿って動くために前記第１および第２のキャリッジの他方に結合されたサイドローラーの形態の第８のホイールと
をさらに含み、
前記第３のホイールおよび前記第７のホイールは、前記第１のホイールが少なくとも部分的に両者間に配置された状態で互いに離間させられており、
前記第４のホイールおよび前記第８のホイールは、前記第２のホイールが少なくとも部分的に両者間に配置された状態で互いに離間させられている、請求項２３に記載の清掃用ビークル。
【請求項２６】
前記清掃用要素は、前記第１および第２のキャリッジの前端に回転可能に結合される、請求項１６に記載の清掃用ビークル。
【請求項２７】
アクスルが前記第１および第２のキャリッジ間に延び、前記第１および第２のホイールは前記アクスルに結合される、請求項１６に記載の清掃用ビークル。
【請求項２８】
対象物の表面を清掃するための清掃用ビークルであって、
第１および第２のキャリッジと、
前記対象物の上面に沿った配置のために前記第１および第２のキャリッジそれぞれに結合される第１および第２のホイールと、
駆動アセンブリを形成するために前記第１および第２のホイールの一方に動作可能に結合される少なくとも一つのモーターと、
前記第１および第２のキャリッジ間に延在し、かつ、前記第１および第２のホイールの前方の位置で前記第１および第２のキャリッジによって支持される清掃用要素と、
前記第１および第２のキャリッジの下方にそれぞれ突出する第３および第４のホイールと、
前記第１のキャリッジに結合された第１の調整可能なカップル、および前記第２のキャリッジに結合された第２の調整可能なカップルであって、前記第１の調整可能なカップルは前記第１のキャリッジと前記第３のホイールとの間に第１の間隔を画定し、かつ、前記第２の調整可能なカップルは前記第２のキャリッジと前記第４のホイールとの間に第２の間隔を画定し、前記第１および第２の間隔は、清掃される前記表面上に前記ビークルを配置するために前記対象物の少なくとも一部を受け入れるようなサイズとされる、第１の調整可能なカップルおよび第２の調整可能なカップルと、
を具備し、
前記清掃用要素は、前記第１および第２のホイールの中心を通る軸線の一方側に配置され、かつ、そこから第１の距離だけ離間させられており、
前記第３および第４のホイールは、前記軸線の反対側に配置され、かつ、そこから第２の距離だけ離間させられており、
前記第１および第２の調整可能なカップルのそれぞれは、それぞれのキャリッジに取り付けられた第１のフレーム部材と、それに対してそれぞれの前記第３のホイールまたは前記第４のホイールが連結される第２のフレーム部材と、を備え、サポートが前記第１および第２のフレーム部材間で延在すると共に、前記サポートは調整可能であり、これによって前記第１および第２のフレーム部材間の距離が調整され、前記第３および第４のホイールの動作が前記対象物の表面に対する前記清掃用要素の降下または上昇をもたらすように、前記第３および第４のホイールがそれぞれ前記第１および第２のホイールに対して動作させられる、清掃用ビークル。
【請求項２９】
前記清掃用要素は、前記第１および第２のホイールを接続するアクスルに関して前記ビークルの前側に片持ち支持された配向で取り付けられ、前記第１および第２のホイールは前記ビークルをフロントヘビーにし、かつ、前記第３および第４のホイールは、前記第１および第２のホイールに対する前記第３および第４のホイールの調整が、清掃される前記表面に対する前記清掃用要素の再位置決めを引き起こすように、前記清掃用要素の片持ち支持された取り付けによって生じる力を相殺するように配置される、請求項２８に記載の清掃用ビークル。
【請求項３０】
前記第３および第４のホイールは前記対象物の下面に当接して配置され、片持ち支持式に取り付けられた前記清掃用要素によって引き起こされる前記アクスルを中心とした回転力Ｒ１の反対方向である前記アクスルを中心とした回転力Ｒ２をもたらし、これによって前記回転力Ｒ１を相殺し、重力によって前記清掃用要素が清掃される前記表面上で完全に静止することを防止する、請求項２９に記載の清掃用ビークル。
【請求項３１】
前記第３および第４のホイールのそれぞれは、前記第３および第４のホイールのそれぞれが前記対象物の底面および側面の両方に接触し、この結果、垂直および水平両方向に前記第３および第４のホイールのそれぞれによって力が提供されるように構成された凹状輪郭を有する、請求項２８に記載の清掃用ビークル。
【請求項３２】
上面と反対側の底面とを有する対象物の表面を清掃するための清掃用ビークルであって、
第１および第２のキャリッジと、
前記第１および第２のキャリッジ間に延びるアクスルと、
駆動アセンブリを形成するよう前記アクスルに結合された第１および第２駆動ホイールであって、上面に配置されるための第１および第２の駆動ホイールと、
前記駆動アセンブリに動作可能に結合された少なくとも一つのモーターと、
前記第１および第２のキャリッジ間に延在すると共に前記第１および第２のキャリッジによって支持される清掃用要素であって、前記上面に沿った配置のための清掃用要素と、
前記底面の少なくとも一部分に沿った配置のための第１および第２のトラベラーホイールであって、前記第１のトラベラーホイールは、両者間の距離が調整可能であるように前記第１の駆動ホイールに対して調節可能に取り付けられ、かつ、前記第２のトラベラーホイールは、両者間の距離が調整可能であるように前記第２の駆動ホイールに対して調節可能に取り付けられる、第１および第２のトラベラーホイールと
を具備し、
前記清掃用要素は前記アクスルの一方側に配置され、かつ、前記第１および第２のトラベラーホイールは、前記第１および第２のトラベラーホイールが、前記上面に向かう方向に前記清掃用要素によって生成された力を相殺するように機能するように前記アクスルの反対側に配置され、
前記第１および第２のトラベラーホイールと前記第１および第２の駆動ホイールとの間の距離の調整によって、前記第１および第２のキャリッジを前記アクスルの軸線の周りに回転させることにより、前記上面に対する前記清掃用要素の上昇または降下が引き起こされる、清掃用ビークル。
【請求項３３】
前記清掃用要素は、前記アクスルならびに前記第１および第２の駆動ホイールに関して前記ビークルの前側に片持ち支持された配向で取り付けられ、前記ビークルをフロントヘビーにし、かつ、前記第１および第２のトラベラーホイールは、前記第１および第２の駆動ホイールに対する前記第１および第２のトラベラーホイールの調整が、清掃される前記表面に対する前記清掃用要素の再位置決めを引き起こすように、前記清掃用要素の片持ち支持された取り付けによって生じる力を相殺するように配置される、請求項３２に記載の清掃用ビークル。
【請求項３４】
前記対象物がソーラーパネルを含む、請求項３２に記載の清掃用ビークル。
【請求項３５】
対象物の上面を清掃する方法であって、
ビークルの第１および第２の駆動ホイールが前記上面に当接し、かつ、清掃用要素が前記上面に沿って位置決めされるように、前記対象物の前記上面にかつ前記対象物のエッジと並んで前記ビークルを位置決めするステップと、
前記対象物の側面および底面の少なくとも一つと接触状態となるように、前記ビークルの第１および第２のトラベラーホイールを調整するステップであって、前記第１および第２のトラベラーホイールは、それに対して、（１）前記第１および第２の駆動ホイールを支持するアクスルが取り付けられ、かつ、（２）前記清掃用要素が回転可能に取り付けられるフレームに対して取り付けられ、これによって、前記第１および第２のトラベラーホイールの調整は前記ビークルを前記アクスルの軸線を中心として回転させ、前記上面に対する前記清掃用要素の降下または上昇を引き起こすステップと、
前記アクスルを回転させることによって前記上面に沿って前記ビークルを移動させるステップと
を具備する方法。
【請求項３６】
前記清掃用要素は、前記アクスルならびに前記第１および第２の駆動ホイールに関して前記ビークルの前側に片持ち支持された配向で取り付けられ、前記ビークルをフロントヘビーにし、かつ、前記第１および第２のトラベラーホイールは、前記第１および第２の駆動ホイールに対する前記第１および第２のトラベラーホイールの調整が、清掃される表面に対する前記清掃用要素の再位置決めを引き起こすように、前記清掃用要素の片持ち支持された取り付けによって生じる力を相殺するように配置される、請求項３５に記載の方法。